(57)【特許請求の範囲】
【請求項１】
ズームレンズ光学系と、上記ズームレンズ光学系からの被写体光を結像面に結像させる合焦光学系と、上記ズームレンズ光学系を構成しているレンズのなかの少なくとも１のレンズであって、焦点距離を変化させるための移動とは独立して光軸方向に変位され、結像面での結像状態を変化させるための調整用レンズの光軸方向への変位位置を調整する調整用レンズ位置調整手段を備えるズームレンズ鏡筒において、
上記調整用レンズ位置調整手段は、上記調整用レンズを保持する内側枠と、
上記内側枠に対し光軸に沿う方向へ附勢力を作用させる弾性手段と、
上記弾性手段による附勢力を受ける上記内側枠を内周側に光軸方向に変位可能に保持する外側枠と、
上記弾性手段の附勢力を受けて光軸に沿って前後方向に附勢される上記内側枠をその前後方向について位置決めする位置決め手段と、
上記内側枠を上記外側枠に対し光軸方向に沿う方向への変位を許容するが、光軸周りへの回転を制限するガイド手段と、
上記内側枠の外周側に突出して形成され上記内側枠を上記外側枠に対して支持する内側枠フランジ部と、
上記外側枠の内周側に突出して形成され上記内側枠を上記外側枠に対して支持する外側枠フランジ部と、
を備え、
上記弾性手段は、上記内側枠フランジ部と外側枠フランジ部との間、または上記内側枠フランジ部と上記位置決め手段との間に配設される、
ことを特徴とするズームレンズ鏡筒。
【請求項２】
請求項１記載のズームレンズ鏡筒において、前記位置決め手段は、前記内側枠と前記外側枠とが光軸方向で互いに対面する間隙に配設されるスペーサであることを特徴とするズームレンズ鏡筒。
【請求項３】
請求項１記載のズームレンズ鏡筒において、前記位置決め手段は、前記外側枠に固定されると共に前記内側枠の前面側に配置される筒飾りとしたことを特徴とするズームレンズ鏡筒。
【請求項４】
請求項１から請求項３のいずれか１項記載のズームレンズ鏡筒において、前記ガイド手段は、前記内側枠に形成される凸部と、前記外側枠に形成される前記凸部に係合する凹部、または、前記内側枠に形成される凹部と、前記外側枠に形成される前記凹部に係合する凸部であることを特徴とするズームレンズ鏡筒。
【請求項５】
請求項１から請求項３のいずれか１項記載のズームレンズ鏡筒において、前記ガイド手段の一部は、一端を前記内側枠あるいは前記外側枠の何れか一方に固定されている金属体で形成されるポールであって、このポールが固定されない側の前記内側枠あるいは前記外側枠が前記ポールに摺動可能に係合していることを特徴とするズームレンズ鏡筒。
【請求項６】
請求項１から請求項５のいずれか１項記載のズームレンズ鏡筒において、前記内側枠と前記外側枠とはともに筒体から構成され、前記内側枠は、前記外側枠の内側でかつ前記内側枠の前後を前記外側枠に対して支持されて保持されることを特徴とするズームレンズ鏡筒。
【請求項７】
請求項１から請求項６のいずれか１項記載のズームレンズ鏡筒を有していることを特徴とするカメラ装置。
【発明の詳細な説明】
【０００１】
【発明の属する技術分野】
本発明は、ズームレンズ鏡筒及びカメラ装置に関する。
【０００２】
【従来の技術】
図８には、従来のいわゆる沈胴式カメラの撮影レンズ鏡筒部分の構造が示されている。
【０００３】
この沈胴式カメラとは、カメラ装置が撮影を行える撮影可能状態にあるときと、撮影を行えない撮影不能状態にあるときとに対応して、撮影可能状態にあるときには撮影レンズがカメラ筐体から突出し、逆に撮影不能状態にあるときには撮影レンズがカメラ筐体の内側に収納される構造を有するものである。ここで、例えば、撮影可能状態にあるときとは、カメラ装置の主電源がＯＮされている状態をいい、また、撮影不能状態にあるときとは、該主電源がＯＦＦされているときをいう。
【０００４】
このような沈胴式カメラは、撮影不能状態にあるときは、撮影レンズをカメラ筐体内に収容しているため、撮影を行わない状態、例えば持ち運ぶときに撮影レンズを物にぶつけて損傷を負わせてしまうという事態を防止できるというメリットがある。また、撮影レンズがカメラ筐体から突出しているか収納されているかを見ることで、カメラ装置が撮影可能状態なのか、あるいは撮影不能状態なのかが一目で判るというメリットを有している。
【０００５】
図示のレンズ鏡筒１は、カメラ筐体２の側に固定されている固定鏡筒３と、この固定鏡筒３に対して移動可能に保持されている移動鏡筒４とを備えて構成されている。そして、カメラ装置が、撮影可能状態にあるときには移動鏡筒４がカメラ筐体２から突出し、逆に撮影不能状態にあるときには移動鏡筒４がカメラ筐体２の内側に収納される構造になっている。
【０００６】
レンズ鏡筒１には、撮影レンズ５が備えられていて、この撮影レンズ５は、ズーム光学系を構成する第１群レンズ６と第２群レンズ７、および合焦光学系を構成する第３群レンズ８の３つのレンズ群から構成されている。
【０００７】
第３群レンズ８の後方、すなわち図面中右方の撮影レンズ５の結像位置には撮像素子ＣＣＤ９（電荷結合素子）が配設されていて、撮影レンズ５により捕らえられた被写体光はこのＣＣＤ９の撮像面上に結像される。ＣＣＤ９は、固定鏡筒３の後端部に取付けられている基盤３Ｍに取付けられている。
【０００８】
なお、撮影レンズ５の光軸を図中一点鎖線Ｘとして示すこととし、以下の説明を進めていくことにする。
【０００９】
レンズ鏡筒１をカメラ筐体２に対して突出および収納させるための構造について説明する。
【００１０】
上述したように、レンズ鏡筒１は、固定鏡筒３と移動鏡筒４とを備えて構成されている。移動鏡筒４は、カム筒４１とこのカム筒４１の内側に挿入されて嵌められている案内筒４２とから構成されている。この移動鏡筒４は、光軸Ｘに沿う前後の方向（紙面の左右方向）に移動可能な状態で、固定鏡筒３の内側に挿入されて嵌められている。つまり、固定鏡筒３の内側にはカム筒４１が嵌められ、さらにその内側には案内筒４２が嵌められている。なお、固定鏡筒３、カム筒４１、案内筒４２は、光軸Ｘの方向から見た断面が、それぞれ円筒形を呈している。
【００１１】
移動鏡筒４は、撮影可能状態のときに、固定鏡筒３内を前方側に移動して、カメラ筐体２の前面から突出する状態となる。逆に、この移動鏡筒４は、撮影不能状態にあるときには、後方側に移動して、カメラ筐体２の内側に収納される状態となる。
【００１２】
固定鏡筒３の前方端部には内側に円輪状に突出しているフランジ部３Ｆが形成されている。このフランジ部３Ｆは、フランジ部３Ｆの内周側の端縁面の全面が、カム筒４１の外周面に均一に当接するように形成されている。
【００１３】
また、カム筒４１の後端部には外側に突出する円輪状のフランジ部４Ｆが形成されている。このフランジ部４Ｆは、フランジ部４Ｆの外周側の端縁面の全面が、固定鏡筒３の内周面に均一に当接するように形成されている。
【００１４】
つまり、移動鏡筒４は、固定鏡筒３に形成されたフランジ部３Ｆとカム筒４１に形成されたフランジ部４Ｆとにより、固定鏡筒３の内側に固定鏡筒３に対して支持されている。
【００１５】
フランジ部４Ｆの外周側の端縁面と固定鏡筒３の内周面との当接部、およびフランジ部３Ｆの内周側の端縁面とカム筒４１の外周面との当接部は円滑に摺動できるようになっていて、そのため、移動鏡筒４は、フランジ部３Ｆとフランジ部４Ｆとによりガイドされながら固定鏡筒３に対して、光軸Ｘに沿って前後にスムーズに移動できるようになっている。
【００１６】
固定鏡筒３の上下の部分には、光軸Ｘと平行に延びるスリット状のガイド溝３Ｇが形成されている。
【００１７】
また、移動鏡筒４の側、すなわち案内筒４２の後端部にはガイド溝３Ｇと光軸Ｘの周方向で係合する突起部４Ｔが、上下の２つのガイド溝３Ｇについてそれぞれ形成されている。突起部４Ｔがガイド溝３Ｇに係合しているため、カム筒４２を光軸Ｘの周りに回転させたときに、案内筒４２が光軸Ｘの周りに回転してしまうことのないようになっている。
【００１８】
移動鏡筒４の前後への移動は、移動鏡筒４に連結されている図示外の駆動モーターにより行われる。駆動モーターが、カメラ装置が撮影可能状態にあるか又は撮影不能状態にあるか、例えば、カメラ装置の主電源がＯＮになっている状態かあるいはＯＦＦになっている状態かによってそれぞれ対応する方向に駆動されて、移動鏡筒４が前後方向に移動させられるようになっている。すなわち、撮影不能状態から撮影可能状態となるときには、移動鏡筒４を前方に移動するように駆動モーターを駆動させるため、移動鏡筒４が固定鏡筒３の内側を前方へ移動してカメラ筐体２の前面から突出する。逆に撮影可能状態から撮影不能状態になるときには、移動鏡筒４を後方に移動するように駆動モーターが駆動させるため、移動鏡筒４が固定鏡筒３の内側を後方に移動して、カメラ筐体２の内側に収納されるようになっている。
【００１９】
上述のような仕組みによって、移動鏡筒４はカメラ筐体２に対して収納および突出する沈胴および突出動作を行う。
【００２０】
図示のレンズ鏡筒１は、上述のように撮影レンズ５を構成している、調整用レンズともなる第１群レンズ６、第２群レンズ７および第３群レンズ８の３つのレンズ群を有している。撮影レンズ５に捕えられた被写体像は、第３群レンズ８の後方に配置される撮像素子ＣＣＤ９の撮像面上に結像する。
【００２１】
第１群レンズ６と第２群レンズ７とは、撮影レンズ５の焦点距離を変える役目を果たしているもので、ズームレンズ光学系を構成し、第１群レンズ６と第２群レンズ７が、それぞれ独立に前後の方向に焦点距離に対応した所定の移動を行うことで、焦点距離を変化させ、ズーム効果を奏するようになっている。
【００２２】
この第１群レンズ６と第２群レンズ７の移動は、以下に説明する仕組みによって行われる。
【００２３】
移動鏡筒４は、上述したように、カム筒４１とその内側に嵌められている案内筒４２とを有して構成されている。カム筒４１の内径と案内筒４２の外径とは、カム筒４１内に案内筒４２を嵌めたときに、案内筒４２がカム筒４１に対して径方向にガタを生ずることのないように、それぞれ設定されている。
【００２４】
カム筒４１には、第１群レンズ６と第２群レンズ７にそれぞれ独立に対応している不図示のカム溝が形成されている。このカム溝は、カム筒４１の内側面に凹状に形成された溝によって形成されている。また、これらのカム溝は、所望の焦点距離に対応した位置に、第１群レンズ６と第２群レンズ７を移動するように、光軸Ｘに対して所定の角度を有して形成されている。つまり、第１群レンズ６と第２群レンズ７はそれぞれに対応して形成されているカム溝に追従して移動するようになっている。
【００２５】
また、案内筒４２の側面には、光軸Ｘと平行に不図示のガイド溝が形成されている。このガイド溝は、案内筒４２の側面にスリット状に形成されていて、案内筒４２の側面を貫通している。
【００２６】
第１群レンズ６と第２群レンズ７のカム溝が、光軸Ｘと角度を有する方向に形成され、さらに、案内筒４２のガイド溝が、光軸Ｘに平行に形成されているため、案内筒４２をカム筒４１に挿嵌したとき、各カム溝は、案内筒４２のガイド溝と交差する部分を有する。
【００２７】
カム溝は、光軸Ｘの回りに対称に１２０度の間隔で第１群レンズ６と第２群レンズ７のそれぞれについて、３本づつ形成されている。案内筒４２のガイド溝も光軸Ｘの回りに対称に１２０度の間隔で３本形成されている。したがって、上述したカム溝とガイド溝との交差する部分は、第１群レンズ６と第２群レンズ７のそれぞれについて、光軸Ｘの周りに対称に１２０度の間隔で形成されることになる。
【００２８】
第１群レンズ６はレンズ保持枠６１に保持され、また第２群レンズ７はレンズ保持枠７１に保持されている。レンズ保持枠６１とレンズ保持枠７１には、それぞれカムフォロア６１Ｆとカムフォロア７１Ｆが光軸Ｘの周りに１２０度の間隔で植設されている。そして、レンズ保持枠６１は、３つのカムフォロアー６１Ｆを、第１群レンズ６１に対応するカム溝とガイド溝との交差する部分に係合させることで、カム筒４１のカム溝と案内筒４２のガイド溝とに係合するとともに、移動鏡筒４内に保持される。
【００２９】
また、レンズ保持枠７１についても同様に、３つのカムフォロアー７１Ｆを、第２群レンズ７１に対応するカム溝とガイド溝との交差する部分に係合させることで、カム筒４１のカム溝と案内筒４２のガイド溝とに係合するとともに、移動鏡筒４内に保持される。
【００３０】
カムフォロア６１Ｆとカムフォロア７１Ｆが、カム溝とガイド溝の交差する部分に係合されて移動鏡筒４内に保持されている状態で、カム筒４１を案内筒４２の周りに回転させると、カム筒４１の案内筒４２に対する回転角度とカム溝の光軸Ｘに対する形成角度とに応じて、カム溝とガイド溝の交差する部分が前後に移動するため、レンズ保持枠６１とレンズ保持枠７１も前後に移動し、第１群レンズ６と第２群レンズ７がズーム動作をすることになる。なお、前述の移動鏡筒４の突起部４Ｔは、案内筒４２の後端部に形成されている。また、カム筒４１の回転は、図示外のモーターより光軸Ｘの周りへの回転駆動力を得て行われるようになっている。
【００３１】
合焦光学系を構成する第３群レンズ８は、レンズ保持枠８１に保持されていて、第２群レンズ７から出射する被写体光の被写体像をＣＣＤ９の撮像面上に合焦状態で結像させるように光軸Ｘに沿って前後に移動させられる。この第３群レンズ６の移動は、基盤３Ｍに取付けられるモーター１０によって行われる。
【００３２】
モーター１０の出力軸１０Ｓは光軸Ｘと平行に配設されていて、この出力軸１０Ｓにはウォームギヤ部１０Ｗが備えられている。レンズ保持枠８１の上部には支持アーム８１Ａが形成されていて、この支持アーム８１Ａがウォームギヤ１０Ｗにねじ結合している。
【００３３】
モーター１０の出力軸１０Ｓに対して光軸Ｘを挟んだ反対側には、基盤３Ｍに植設されるガイド軸１０Ｇが光軸Ｘと平行に配設されている。レンズ保持枠８１の下部にはガイド軸１０Ｇが光軸Ｘに沿う方向に摺動自在な状態で挿通されるガイド受部８１Ｂが形成されている。
【００３４】
したがって、レンズ保持枠８１は、出力軸１０Ｓおよびガイド軸１０Ｇとにより支持された状態でレンズ鏡筒１内に保持されていることになる。そして、モーター１０が駆動されると、レンズ保持枠８１は、支持アーム８１Ａがウォームギヤ部１０Ｗにねじ結合しているため、ウォームギア部１０Ｗの回転に追従して光軸Ｘ方向に沿って移動する。
【００３５】
レンズ保持枠８１は、ガイド受部８１Ｂがガイド軸１０Ｇに挿通されているため、レンズ保持枠８１が出力軸１０Ｓの回転に引きずられて出力軸１０Ｓの回りに回ってしまうことなく、光軸Ｘに沿って移動する。なお、モーター１０の駆動は、図示外の自動焦点制御装置からの信号に基づいて駆動される。
【００３６】
移動鏡筒４が後方に移動したとき、レンズ保持枠７１とウォームギア部１０Ｗとが干渉してしまわないように、レンズ保持枠７１には、ウォームギア部１０Ｗを避けるように光軸Ｘ方向に貫通している不図示の孔部が形成されている。
【００３７】
各レンズ保持枠６１、７１、８１への各レンズの保持構造について説明する。
【００３８】
先ず、第１群レンズ６をレンズ保持枠６１によって保持する構造を説明する。
【００３９】
レンズ保持枠６１は、内側枠６１Ｐと外側枠６１Ｑとを有して構成されている。内側枠６１Ｐの外周面と外側枠６１Ｑの内周面には、互いにねじ結合するねじ部６１Ｓが形成されていて、内側枠６１Ｐは外側枠６１Ｑの内側にねじ部６１Ｓにねじ結合している状態で嵌められている。つまり、内側枠６１Ｐは、外側枠６１Ｑに対し、ねじ部６１Ｓに沿って回転させながら嵌め入れていく。
【００４０】
第１群レンズ６は、レンズ６Ｌ１、レンズ６Ｌ２、レンズ６Ｌ３の３枚のレンズから構成されている。内側枠６１Ｐには、これらの各レンズ毎に対応して、レンズ保持部６Ｌ１’ 、６Ｌ２’、６Ｌ３’が形成されていて、レンズ６Ｌ１、レンズ６Ｌ２、レンズ６Ｌ３は、それぞれのレンズに対応しているレンズ保持部６Ｌ１’ 、６Ｌ２’、６Ｌ３’に接着剤により固着されて保持されている。
【００４１】
レンズ６Ｌ１、６Ｌ２、６Ｌ３の外径に対し、レンズ保持部６Ｌ１’ 、６Ｌ２’、６Ｌ３’の各内径は若干大き目に形成されていて、各レンズ６Ｌ１、６Ｌ２、６Ｌ３の周縁部と各レンズ保持部６Ｌ１’ 、６Ｌ２’、６Ｌ３’との間には若干の隙間が形成されている。そのため、各レンズ６Ｌ１、６Ｌ２、６Ｌ３は、各レンズ保持部６Ｌ１’ 、保持部６Ｌ２’、保持部６Ｌ３’に対して、光軸Ｘと直交する方向に隙間の分だけ移動できるようになっている。したがって、各レンズ６Ｌ１、６Ｌ２、６Ｌ３を接着剤により内側枠６１Ｐに固着する際には、レンズ保持枠６１を移動鏡筒４に保持させたときに、これら３枚のレンズの光軸が光軸Ｘに一致するように、各レンズ６Ｌ１、６Ｌ２、６Ｌ３を光軸Ｘと直交する方向にそれぞれ位置を調整しながら、各レンズ６Ｌ１、６Ｌ２、６Ｌ３を各レンズ保持部６Ｌ１’ 、６Ｌ２’、６Ｌ３’に固着するようにする。
【００４２】
そうして、レンズ６Ｌ１、６Ｌ２、６Ｌ３が保持された内側枠６１Ｐを外側枠６１Ｑにねじ結合させて、内側枠６１Ｐと外側枠６１Ｑを一体として構成する。
【００４３】
次に、第２群レンズ７をレンズ保持枠７１によって保持する構造を説明する。
【００４４】
レンズ保持枠７１は、レンズ保持枠６１のように２部材で構成されておらず、１部材で構成されている。
【００４５】
第２群レンズ７を構成するレンズ７Ｌ１、レンズ７Ｌ２，レンズ７Ｌ３の内、レンズ７Ｌ２はレンズ保持部７Ｌ２’に、レンズ７Ｌ３はレンズ保持部７Ｌ３’に接着剤により固着されて保持されている。
【００４６】
レンズ７Ｌ１は、レンズ７Ｌ２に接合されているため、レンズ７Ｌ２がレンズ保持部７Ｌ２’に固着されることで、レンズ７Ｌ２を介してレンズ保持枠７１に保持される。なお、レンズ７Ｌ１は、レンズ７Ｌ２と光軸を一致させた状態で接合されている。
【００４７】
レンズ７Ｌ２、７Ｌ３の外径に対し、これらのレンズに対応するレンズ保持部７Ｌ２’、７Ｌ３’の内径は若干大き目に形成されていて、各レンズ７Ｌ２、７Ｌ３の周縁部と各レンズ保持部７Ｌ２’、７Ｌ３’との間には若干の隙間が形成されている。そのため各レンズ７Ｌ２、７Ｌ３は、レンズ保持部７Ｌ２’、７Ｌ３’に対して、光軸Ｘと直交する方向に隙間の分だけ移動することができる。
【００４８】
レンズ７Ｌ２、７Ｌ３をレンズ保持枠７１に接着剤により固着する際には、、レンズ保持枠７１を移動鏡筒４に保持させたときに、レンズ７Ｌ１、７Ｌ２およびレンズ７Ｌ３の３枚のレンズの光軸が光軸Ｘに一致するように、レンズ７Ｌ２、レンズ７Ｌ３を光軸Ｘと直交する方向にそれぞれ位置を調整しながら、それぞれレンズ保持部７Ｌ２’ 、保持部７Ｌ３’に固着する。
【００４９】
次に、第３群レンズ８をレンズ保持枠８１によって保持する構造を説明する。
【００５０】
レンズ保持枠８１も、レンズ保持枠６１と違い、レンズ保持枠７１と同様に１の部材で構成されている。第３群レンズ８を構成するレンズ８Ｌは、レンズ保持枠８１のレンズ保持部８Ｌ’に接着剤により固着されて保持される。
【００５１】
レンズ８Ｌの外径に対し、レンズ保持部８Ｌ’の内径は若干大き目に形成されていて、レンズ８Ｌの周縁部とレンズ保持部８Ｌ’との間には若干の隙間が形成されている。そのためレンズ８Ｌは、レンズ保持部８Ｌ’に対して、光軸Ｘと直交する方向に隙間の分だけ移動することができる。
【００５２】
レンズ８Ｌをレンズ保持枠８１に固着する際に、レンズ８Ｌの光軸が、レンズ保持枠８１をモータ１０の出力軸１０Ｓとガイド軸１０Ｇに保持したとき、光軸Ｘと一致するように、レンズ８Ｌを前記の隙間分だけレンズ保持部８Ｌ’に対して移動させてレンズ７Ｌの光軸が光軸Ｘに一致するように固着する。
【００５３】
上述したように、第１群レンズ６と第２群レンズ７とはズーム光学系を構成し、第３群レンズ８は合焦光学系を構成している。したがって、第１群レンズ６と第２群レンズ７によって捕えられた被写体光が第３群レンズ８によりＣＣＤ９の撮像面に合焦状態で結像される。そして、ＣＣＤ９の撮像面に被写体像が結像している状態で、第１群レンズ６と第２群レンズ７をズーム動作させても、合焦状態を保ちながら、結像の倍率を変化させることができる。
【００５４】
ところが、このことはズームレンズの本来的な動作であって、カム溝の形成位置の精度が不十分であったり、あるいはレンズ保持枠６１、７１、８１に、各保持枠に保持されるレンズを接着剤で固着する際に、所定の位置より前後の方向にずれて固着されてしまったような場合など、光学設計通りの位置にレンズが配設されていない場合には、合焦状態になっている結像を変倍させようとして、第１群レンズ６と第２群レンズ７にズーム動作を行わせると、合焦状態が失われてしまい、再び第３群レンズ８を合焦動作させる必要がある。
【００５５】
そのため、第１群レンズ６を保持するレンズ保持枠６１の内側枠６１Ｐを外側枠６１Ｑに対して前後に変位して、第１群レンズ６の前後位置を調整することで、カム溝の形成位置のずれなどの相殺を行い、ズーム動作を行ってもＣＣＤ９の撮像面上での結像状態の変化を少なくするようにする手段が採られる。
【００５６】
レンズが保持されているレンズ保持枠６１、レンズ保持枠７１およびレンズ保持枠８１を移動鏡筒４に保持し、レンズ鏡筒１が組み上がった状態で、レンズ保持枠６１の内側枠６１Ｐと外側枠６１Ｑのねじ部６１Ｓのねじ結合の量を調整して、内側枠６１Ｐを外側枠６１Ｑに対して前後に変位させる。
【００５７】
外側枠６１Ｑに対して内側枠６１Ｐを変位させると、この内側枠６１Ｐに保持される第１群レンズ６が、ズーム動作による焦点距離を変化させるためのレンズ移動とは別に独立に光軸Ｘ方向の前後に変位する。そうして、第１群レンズ６と第２群レンズ７をズーム動作させても、ＣＣＤ９の撮像面に結像する被写体像の合焦状態が崩れないような位置に第１群レンズ６を変位させて、この位置から第１群レンズ６が動かないように、内側枠６１Ｐと外側枠６１Ｑとを接着剤で固着する。
【００５８】
第１群レンズ６の位置を前側へ変位させるには、内側枠６１Ｐと外側枠６１Ｑのねじ部６１Ｓのねじ結合の量を少なくし、逆に、後方に変位させるには、内側枠６１Ｐと外側枠６１Ｑのねじ部６１Ｓのねじ結合の量を多くするように調整する。
【００５９】
第１群レンズ６の位置調整が終わった後、外側枠６１の前端部に筒飾り１１を装着して、レンズ鏡筒１の内部などが外部から見えないように体裁を整える。
【００６０】
【発明が解決しようとする課題】
しかしながら、内側枠６１Ｐと外側枠６１Ｑのねじ部６１Ｓが形成されている円筒部の筒体が偏芯しているなどのことが原因で、内側枠６１Ｐを外側枠６１Ｑに対し回転させたときに、第１群レンズ６の光軸が光軸Ｘからずれてしまうという問題点が有る。
【００６１】
そこで、本発明は、上記の問題点を解消するためになされたものであり、ズームレンズを構成するレンズの一部をズーム動作とは独立に光軸方向に変位させる際に、この変位されるレンズの光軸が他のレンズの光軸とずれを生ずることのないようにすることができるズームレンズ鏡筒及びカメラ装置を提供することを目的とする。
【００６２】
【課題を解決するための手段】
上述の課題を解決するため、ズームレンズ光学系と、ズームレンズ光学系からの被写体光を結像面に結像させる合焦光学系と、ズームレンズ光学系を構成しているレンズのなかの少なくとも１のレンズであって、焦点距離を変化させるための移動とは独立して光軸方向に変位され、結像面での結像状態を変化させるための調整用レンズの光軸方向への変位位置を調整する調整用レンズ位置調整手段を備えるズームレンズ鏡筒において、調整用レンズ位置調整手段は、調整用レンズを保持する内側枠と、内側枠に対し光軸に沿う方向へ附勢力を作用させる弾性手段と、弾性手段による附勢力を受ける内側枠を内周側に光軸方向に変位可能に保持する外側枠と、弾性手段の附勢力を受けて光軸に沿って前後方向に附勢される内側枠をその前後方向について位置決めする位置決め手段と、内側枠を外側枠に対し光軸方向に沿う方向への変位を許容するが、光軸周りへの回転を制限するガイド手段と、内側枠の外周側に突出して形成され内側枠を外側枠に対して支持する内側枠フランジ部と、外側枠の内周側に突出して形成され内側枠を外側枠に対して支持する外側枠フランジ部とを備え、弾性手段は、内側枠フランジ部と外側枠フランジ部との間、または内側枠フランジ部と位置決め手段との間に配設されることとする。
【００６３】
ズームレンズ鏡筒をこのように構成することで、調整用レンズが変位する前後で、調整用レンズの光軸が回転しないように調整用レンズを変位させることができるので、調整用レンズを変位させても、調整用レンズの光軸が他のレンズの光軸からずれてしまうことがなくなる。
【００６４】
また、ズームレンズ鏡筒をこのように構成することで、内側枠は、弾性手段により位置決め手段側に附勢されることになる。そのため、内側枠が自動的に位置決め手段の位置決め位置に変位するので、位置決めのための変位操作を簡単に行うことができる。
【００６５】
また、他の発明は、上述の発明に加え、位置決め手段は、内側枠と外側枠とが光軸方向で互いに対面する間隙に配設されるスペーサであることとする。
【００６６】
ズームレンズ鏡筒をこのように構成することで、スペーサの厚さにより内側枠の位置を決めることができるため、位置決め操作を簡単に行うことができる。
【００６７】
また、他の発明は、上述の発明に加え、位置決め手段は、外側枠に固定されると共に内側枠の前面側に配置される筒飾りであることとする。
【００６８】
筒飾りを位置決め手段として使用することで、部品点数の削減を行えることができる。
【００６９】
また、他の発明は、上述の発明に加え、ガイド手段は、内側枠に形成される凸部と、外側枠に形成される内側枠の凸部に係合する凹部、または、内側枠に形成される凹部と、外側枠に形成される凹部に係合する凸部であることとする。
【００７０】
ズームレンズ鏡筒中のガイド手段を内側枠と外側枠に形成したので、部品点数を少なくすることができる。また、凹部と凸部の係合によってガイドされているので簡単な構成でガイド手段を構成できる。
【００７１】
また、他の発明は、上述の発明に加え、ガイド手段の一部は、一端を内側枠あるいは外側枠の何れか一方に固定されている金属体で形成されるポールであって、このポールが固定されない側の内側枠あるいは外側枠がポールに摺動可能に係合していることとする。
【００７２】
ズームレンズ鏡筒中のガイド手段の一方を金属体で形成されるポールで構成するため、内側枠あるいは外側枠のガイドを精度良く行うことができる。
【００７３】
また、他の発明は、上述の発明に加え、内側枠と外側枠とはともに筒体から構成され、内側枠は、外側枠の内側でかつ内側枠の前後を外側枠に対して支持されて保持されることとする。
【００７４】
ズームレンズ鏡筒をこのように構成することで、ズームレンズ鏡筒中の内側枠を外側枠に対し前後２箇所で支持することができるため、内側枠を外側枠に対し安定的に保持することができる。
【００７５】
また、他の発明は、上述の発明に加え、カメラ装置に、上述のズームレンズ鏡筒を有することとする。このようにカメラ装置を構成することで、組立の際、調整用レンズが変位する前後で、調整用レンズの光軸が回転しないように調整用レンズを変位させることができるので、調整用レンズを変位させても、調整用レンズの光軸が他のレンズの光軸からずれてしまうことがなくなる。この結果、このズームレンズ鏡筒を組み込んだカメラ装置は、常に安定した品質のズーム撮影が可能となる。
【００７６】
上述の課題を解決するため、ズームレンズ光学系と、ズームレンズ光学系からの被写体光を結像面に結像させる合焦光学系と、ズームレンズ光学系を構成しているレンズのなかの少なくとも１のレンズであって、焦点距離を変化するための変位とは独立して光軸方向に変位され、結像面での結像状態を変化させるための調整用レンズの光軸方向への変位位置を調整する調整用レンズ位置調整手段を備えるズームレンズ鏡筒において、調整用レンズ位置調整手段は、調整用レンズを保持する第１保持手段と、この第１保持手段を保持する第２保持手段と、第２保持手段の側に固定され、第１保持手段を第２保持手段に対して光軸方向に相対移動可能に支持するねじ軸と、ねじ軸にねじ結合するとともに、第１保持手段と、前後の方向で当接する部分を有するナットと、第１保持手段を第２保持手段に対し光軸方向に沿う方向への変位を許容するが、光軸周りへの回転を制限するガイド手段とを備えることとしている。
【００７７】
ズームレンズ鏡筒をこのように構成することで、調整用レンズが変位する前後で、調整用レンズの光軸が回転しないように調整用レンズを変位させることができるので、調整用レンズを変位させても、調整用レンズの光軸が他のレンズの光軸からずれてしまうことがなくなる。
以上
【００７８】
【発明の実施の形態】
以下に、本発明の実施の形態を説明する。
【００７９】
この実施の形態のズームレンズ鏡筒は、先に説明した従来のレンズ鏡筒１における第１群レンズ６のレンズ保持枠６１に係る構成を除いて、そのレンズ鏡筒１と同様の構成となっている。そこで、従来技術と同様の構成部分については説明を省略することとし、調整用レンズとなる第１群レンズ６のレンズ保持枠（以下、第１群レンズ保持枠という）に係る構成のみを図を参照しながら説明していく。
【００８０】
図１に第１の実施の形態を示す。図１に示される第１群レンズ保持枠１０１は、第１保持手段としての内側枠１０１Ｐと第２保持手段としての外側枠１０１Ｑとを有していて、内側枠１０１Ｐが外側枠１０１Ｑの枠内に嵌められている。この第１群レンズ保持枠１０１は、先述した従来のレンズ保持枠６１に相当する部分となっている。
【００８１】
内側枠１０１Ｐには、外周側に突出すると共に外周の全周に渡って形成されたフランジ部１０１Ａが設けられている。また、外側枠１０１Ｑにも内周側に突出すると共に内周の全周に渡って形成されたフランジ部１０１Ｂが設けられている。このフランジ部１０１Ａとフランジ部１０１Ｂは、内側枠１０１Ｐを外側枠１０１Ｑの枠内に嵌め入れたとき、第１群レンズ６の光軸が光軸Ｘに一致する状態で、内側枠１０１Ｐが外側枠１０１Ｑに支持されるように形成されている。さらに、フランジ部１０１Ａとフランジ部１０１Ｂは、内側枠１０１Ｐを外側枠１０１Ｑに嵌め入れたとき、フランジ部１０１Ａの外周縁面１０１Ａ’の全面が外側枠１０１Ｑの内周面に沿って当接し、また、フランジ部１０１Ｂの内周縁面１０１Ｂ’の全面も内側枠１０１Ｐの外周面に沿って当接するように形成されている。さらに、フランジ部１０１Ａは内側枠１０１Ｐの前側寄りに形成され、フランジ部１０１Ｂは内側枠１０１Ｐの後側寄り部分に当接するように外側枠１０１の略中央からわずかに後ろよりの位置に形成されている。
【００８２】
したがって、内側枠１０１Ｐを外側枠１０１Ｑに対してがたを生ずることなく、しかも前後の２箇所で安定的に支持できるようになっている。
【００８３】
さらに、フランジ部１０１Ａとフランジ部１０１Ｂは、外周縁面１０１Ａ’と内周縁面１０１Ｂ’がそれぞれ、外側枠１０１Ｑの内周面と内側枠１０１Ｐの外周面とできるだけ少ない面積で当接するように、比較的薄肉に形成されている。つまり、外周縁面１０１Ａ’と内周縁面１０１Ｂ’が少ない面積で、外側枠１０１Ｑの内周面と内側枠１０１Ｐの外周面に当接するようにすることで、外周縁面１０１Ａ’と内周縁面１０１Ｂ’の面精度が、第１群レンズ６の光軸と光軸Ｘとのずれ量に与える影響を小さくすることができる。この当接幅（薄肉の程度）について言えば、フランジ部１０１Ａに関しては、対応するレンズ６Ｌ１が内側枠１０１Ｐに当接する幅に対して０．６から１．２倍といった略同一または若干小さな幅としてあり、フランジ部１０１Ｂに関しては、レンズ６Ｌ３の内側枠１０１Ｐに当接する幅に対して０．９から１．５倍といった略同一または若干大きな幅としてある。
【００８４】
なお、図８で説明した従来技術においても、ねじ部６１Ｓの前後に内側枠６１Ｐと外側枠６１Ｑにそれぞれフランジ部が形成されているが、図８に示される構成では、内側枠６１Ｐは実質的にねじ部６１Ｓにより外側枠６１Ｑに支持されているものでる。これに対して、本実施の形態は、フランジ部１０１Ａとフランジ部１０１Ｂにより内側枠１０１Ｐが外側枠１０１Ｑに対して支持されるものであり従来技術とは異なっている。
【００８５】
フランジ部１０１Ａとフランジ部１０１Ｂの間には、内側枠１０１Ｐの外周に螺旋状に巻かれて設けられた変位手段としての金属製のコイルスプリング１０２が、フランジ部１０１Ａとフランジ部１０１Ｂが互いに対向する面１０１Ａｍと面１０１Ｂｍに反力を取るように配設されている。
【００８６】
第１群レンズ保持枠１０１の前端には、略円輪体をした位置決め手段としての筒飾り１０３が備えられている。この筒飾り１０３は、外周縁１０３Ａを外側枠１０１Ｑの前端縁に接着剤により固着することで外側枠１０１Ｑに取付けられてる。
【００８７】
また、筒飾り１０３の背面側、つまり、レンズ６Ｌ１側のフランジ部１０１Ａと対向する面には、後方に突出した枠押え部１０３Ｂが形成されている。筒飾り１０３を外側枠１０１Ｑの前端縁に取付けると、枠押え部１０３Ｂがフランジ部１０１Ａの前面部に当接するようになっている。
【００８８】
したがって、内側枠１０１Ｐは、コイルスプリング１０２の附勢力により枠押え部１０３Ｂの側に押圧されて、枠押え部１０３Ｂにより、前方向の位置を規定された状態で外側枠１０１Ｑ内に保持されている。つまり、枠押え部１０３Ｂの肉厚Ｄにより、第１群レンズ６の前後方向の位置が決められることになる。
【００８９】
本実施の形態においては、枠押え部１０３Ｂの肉厚Ｄが異なる数種の筒飾り１０３を予め用意しておき、これらを外側枠１０１Ｑに、例えば、手指で押さえて仮取り付けをしてみて、ＣＣＤ９の撮像面での結像状態が一番よいものを選択し、外側枠１０１Ｑに接着剤で固着して取付ける。
【００９０】
内側枠１０１Ｐの外周面には、光軸Ｘを挟む左右に光軸Ｘと平行な凹溝状のガイド溝１０１Ｃが形成されている。一方、外側枠１０１Ｑの内周面には、ガイド溝１０１Ｃに係合する光軸Ｘと平行な凸片状のガイド突起１０１Ｃ’が形成されている。そして、このガイド溝１０１Ｃとガイド突起１０１Ｃ’が、内側枠１０１Ｐの回転を阻止するガイド手段として機能し、内側枠１０１Ｐが、外側枠１０１Ｑに対して、前後へ変位するのを許容する一方で、光軸Ｘの周りに回動するのを防止している。
【００９１】
以上のように、光軸Ｘに沿う方向の附勢力をコイルスプリング１０２により内側枠１０１Ｐに作用させ、この附勢された内側枠１０１Ｐを枠押え部１０３Ｂにより位置決めして、第１群レンズ６の前後方向の位置合わせをするようにしている。さらにこれに併せて、ガイド溝１０１Ｃとガイド突起１０１Ｃ’の係合により、内側枠１０１Ｐ、すなわち第１群レンズ６が光軸Ｘの周りに回転をすることなく、第１群レンズ６の前後の位置を調整することができる。
【００９２】
ここで、上述のように構成される第１群レンズ保持枠１０１の組み立てについて簡単に説明する。先ず、スプリング１０２を外側枠１０１Ｑの内側に前方の開口部から入れる。次いで、内側枠１０１Ｐを、ガイド外側枠１０１Ｑの内側に前方の開口部から嵌め入れる。その際、内側枠１０１Ｐ側のガイド溝１０１Ｃが外側枠１０１Ｑ側のガイド突起１０１Ｃ’に係合するように、内側枠１０１Ｐを外側枠Ｑの内側に嵌め入れる。このようにして外側枠Ｑに嵌め入れられた内側枠１０１Ｐは、フランジ部１０１Ａと１０１Ｂにより外側枠Ｑに支持されている。また、フランジ部１０１Ａとフランジ部１０１Ｂの間にはスプリング１０２が配設されることになる。その後、数種類用意してある筒飾り１０３を順次仮取り付けし、この数種類の筒飾り１０３の内で、ＣＣＤ９の撮像面での結像状態が最良になるように第１群レンズ６を位置させることができる筒飾り１０３を外側枠１０１Ｑに固着して、組み立て作業を完了する。
【００９３】
なお、弾性手段として、本実施の形態においては、金属製のコイルスプリング１０２を例示しているが、これを樹脂製としたり、コイルスプリング１０２の替わりに、例えば、筒状のゴムを利用したり、空気ばねなどを利用することが考えられる。また、位置決め手段についても、本実施の形態においては、外側枠１０１に筒飾り１０３を固着することを例示しているが、ＣＣＤ９の撮像面における結像が適当な合焦状態になったときに、内側枠１０１Ｐを接着剤を用いて直接外側枠１０１Ｑに固着して位置決めすることも考えられる。また、両フランジ１０１Ａ、１０１Ｂをそれぞれ全周に渡って設けるのではなく、３箇所、４箇所、５箇所、６箇所等、間隔を空けて複数箇所のみ設けるようにしてもよい。
【００９４】
ところで、上述した第１保持手段としての内側枠１０１Ｐと、第２保持手段としての外側枠１０１Ｑと、変位手段としてのコイルスプリング１０２、と位置決め手段としての筒飾り１０３と、ガイド手段としてのガイド溝１０１Ｃとガイド突起１０１Ｃ’とにより、調整用レンズ位置調整手段は構成されている。
【００９５】
図２に第２の実施の形態を示す。
【００９６】
第２の実施の形態に示される第１群レンズ枠２０１は、位置決め手段としての筒飾り２０３を第２保持手段としての外側枠２０１Ｑにねじ着により取付けるように構成したものである。なお、外側枠２０１Ｑと筒飾り２０３以外の構成については、第１の実施の形態と同様なので、同一符号を使用しその説明を省略する。
【００９７】
筒飾り２０３と外側枠２０１Ｑの前端部とには、互いにねじ結合するねじ部２０３Ｓが形成されていて、筒飾り２０３は、このねじ部２０３Ｓにねじ結合されて、外側枠２０１Ｑに取付けられている。
【００９８】
筒飾り２０３には、上記の第１の実施の形態における枠押え部１０３Ｂと同様の枠押え部２０３Ａが形成されている。
【００９９】
この筒飾り２０３を外側枠２０１Ｑに取付けると、枠押え部２０３Ａに、コイルスプリング１０２により前方に附勢されている内側枠１０１Ｐのフランジ部１０１Ａが当接し、筒飾り２０３は、内側枠１０１Ｐの前後方向の位置を規定する。すなわち、内側枠１０１Ｐに保持される第１群レンズ６の前後の位置が筒飾り２０３により決められる。本実施の形態では、筒飾り２０３のねじ部２０３Ｓへのねじ結合の量を調整することにより、第１群レンズ６の前後の位置が調整される。
【０１００】
つまり、第１群レンズ６を前方に変位させるには、筒飾り２０３とねじ部２０３Ｓのねじ結合の量を少なくし、逆に、後方に変位させるにはねじ結合の量を多くすることにより、第１群レンズ６の前後の位置を調整する。
【０１０１】
本実施の形態によれば、第１群レンズ６が光軸Ｘの周りに回転することなく、第１群レンズ６の前後の位置を調整することができることに加えて、第１群レンズ６の調整位置は、筒飾り２０３のねじ部２０３Ｓへのねじ結合の量を変えることにより行うようにしているため、無段階に行うことができる。
【０１０２】
すなわち、上述の第１の実施の形態においては、予め用意された枠押え部１０３Ｂの肉厚Ｄの異なる数種類の筒飾り１０３の中から、合焦状態の比較的良いものを選択して取付けることとしているため、適当な肉厚Ｄの筒飾り１０３が用意されていない場合も考えられ、最適な合焦状態が得られない虞もあるが、本実施の形態においては、無段階で第１群レンズ６の位置を調整することができる。そして、調整が完了した状態で、筒飾り２０３と外側枠２０１Ｑとを接着剤で固着し、振動などにより筒飾り２０３が回転して、ねじ結合する量が変わり第１群レンズ６の前後の位置が変わってしまうことのないようにする。
【０１０３】
ここで、上述のように構成される第１群レンズ保持枠２０１の組み立てについて簡単に説明するが、筒飾り２０３の取り付けまでは前述した第１の実施の形態と同様であるので省略する。外側枠２０１Ｑ内に、スプリング１０２と内側枠１０１Ｐとを組み入れた状態で、筒飾り２０３を外側枠２０１にねじ部２０３Ｓによりねじ結合する。そうして、筒飾り２０３を回転して筒飾り２０３のねじ部２０３Ｓへのねじ結合の量を変えることにより、ＣＣＤ９の撮像面での結像状態が最良になるように、第１群レンズ６の前後の位置を調整できたところで、筒飾り２０３を外側枠２０１Ｑに接着剤で固定して組み立て作業を完了する。
【０１０４】
図３に第３の実施の形態を示す。
【０１０５】
第３の実施の形態は、第１保持手段としての内側枠３０１Ｐのフランジ部３０１Ａと第２保持手段としての外側枠３０１Ｑのフランジ部３０１Ｂとの間に位置決め手段としてのスペーサ３０２を挟み、内側枠３０１Ｐの前後方向の位置をスペーサ３０２の厚さにより調整している。そして、内側枠３０１Ｐに対し、筒飾り３０３に備えられる変位手段としての金属製の板ばね３０３Ａが内側枠３０１Ｐをスペーサ３０２の方向、つまり後方に変位させる力を作用させるようにしたものである。
【０１０６】
なお、本実施の形態において、第１の実施の形態と同様な構成部分については、同一符号を使用し、その説明を省略する。
【０１０７】
図３に示される第１群レンズ保持枠３０１は、第１保持手段となる内側枠３０１Ｐと第２保持手段となる外側枠３０１Ｑとを有して構成されていて、内側枠３０１Ｐは、外側枠３０１Ｑの内側に嵌め入れられたとき、内側枠３０１Ｐ側に形成されるフランジ部３０１Ａと外側枠３０１Ｑ側に形成されるフランジ部３０１Ｂとにより外側枠３０１Ｑに対して支持されるようになっている。また、内側枠３０１Ｐは、第１群レンズ６の光軸が光軸Ｘに一致する状態でフランジ部３０１Ａとフランジ部３０１Ｂとにより外側枠３０１Ｑに対して支持されている。
【０１０８】
フランジ部３０１Ａは、内側枠３０１Ｐの外周面に全周に渡ってそれぞれ設けられる大径部３０１Ａ1と小径部３０１Ａ2とから形成されていて、大径部３０１Ａ1の外周縁面３０１Ａ1’が、外側枠３０１Ｑの内周面に当接し、小径部３０１Ａ2の外周縁面３０１Ａ2’は外側枠３０１Ｑに当接しないようになっている。つまり、内側枠３０１Ｐは、フランジ部３０１Ａの大径部３０１Ａ1とフランジ部３０１Ｂとにより、外側枠３０１Ｑに対して支持されるようになっている。フランジ部３０１Ｂは、外側枠３０１Ｑの内周面に全周に渡って設けられている。
【０１０９】
フランジ部３０１Ａの大径部３０１Ａ1とフランジ部３０１Ｂは、内側枠３０１Ｐを外側枠３０１Ｑに嵌め入れたとき、大径部３０１Ａ1の外周縁面３０１Ａ1’の全面が外側枠３０１Ｑの内周面に沿って当接し、また、フランジ部３０１Ｂの内周縁面３０１Ｂ’の全面が内側枠３０１Ｐの外周面に沿って当接するように形成されている。そして、さらにこれに加えて、大径部３０１Ａ1を内側枠３０１Ｐの前側寄りに形成し、フランジ部３０１Ｂを内側枠３０１Ｐの後側寄りに当接する位置に形成している。そのため、内側枠３０１Ｐを外側枠３０１Ｑに対してがたを生ずることなく、しかも前後の２箇所で安定的に支持できるようにしてている点については、上述の第１の実施の形態と同様である。
【０１１０】
また、大径部３０１Ａ1の外周縁面３０１Ａ1’とフランジ部３０１Ｂの内周縁面３０１Ｂ’が、それぞれ外側枠３０１Ｑの内周面と内側枠３０１Ｐの外周面にできるだけ少ない面積、すなわち前後の幅を小さくして当接するようにして、外周縁面３０１Ａ1’と内周縁面３０１Ｂ’の面精度が、第１群レンズ６の光軸の光軸Ｘとのずれ量に与える影響を小さくしている点についても、上記の第１の実施の形態と同様である。なお、各当接面の幅と、レンズ６Ｌ１、６Ｌ３の内側枠３０１Ｐに対する当接面の幅との関係は、第１の実施の形態と同様となっている。
【０１１１】
フランジ部３０１Ａの小径部３０１Ａ2とフランジ部３０３Ｂとの間には、スペーサ３０２が配設される。スペーサ３０２は円輪体をしている。スペーサ３０２は、その円輪の孔部に、小径部３０１Ａ2から後方に延びている内側枠３０１Ｐの筒体部分が通されていて、内側枠３０１Ｐに支持されている。
【０１１２】
筒体部にスペーサ３０２を支持した内側枠３０１Ｐを、スペーサ３０２が、フランジ部３０１Ａの小径部３０１Ａ2とフランジ部３０３Ｂとに接して挟持されるまで外側枠３０１Ｑ内に嵌め入れると、内側枠３０１Ｐは外側枠３０１Ｑに対して、スペーサ３０２の厚さＤｓに応じて、前後方向への位置決めが行われることになる。
【０１１３】
本実施の形態においては、厚さＤｓの異なるスペーサ３０２を予め数種類用意しておき、これらを仮取り付けしてみて、ＣＣＤ９の撮像面での結像状態が一番良いものを選択し、この選択したスペーサ３０２を装着して、筒飾り３０３を外側枠３０１Ｑに接着剤で固着して取付ける。なお、スペーサ３０２は、輪ゴムのような円輪状のものとしても良いが、間隔を空けて２箇所、３箇所等、複数箇所に所定幅をもって設置するようにしても良い。
【０１１４】
筒飾り３０３の後面側には、フランジ部３０１Ａに当接し、内側枠３０１Ｐを後方に附勢する凹凸を有する波形をした円輪状の板ばね３０３Ａが備えられていているため、内側枠３０１Ｐは、板ばね３０３Ａの附勢力を受けてがたつくこと無く外側枠３０１Ｑ内に保持されることとなる。
【０１１５】
本実施の形態によれば、スペーサ３０２の選択のみで位置調整を行うことができるため、位置調整作業が簡単である。なお、本実施の形態において、変位手段として板ばね３０３Ａを例示しているが、例えば、弾性ゴムを筒飾り３０３とフランジ部３０１Ａとの間に挟持し、この弾性ゴムにより内側枠３０１Ｐに対してスペーサー３０２の方向に変位する力を作用するようにしてもよい。また、両フランジ３０１Ａ、３０１Ｂをそれぞれ全周に渡って設けるのではなく、３箇所、４箇所、５箇所、６箇所等、間隔を空けて複数箇所のみ設けるようにしてもよい。
【０１１６】
ここで、上述のように構成される第１群レンズ保持枠３０１の組み立てについて簡単に説明する。先ず、数種類用意されているスペーサー３０２の内の１つを外側枠３０１Ｑの内側に前方の開口部から入れる。次いで、内側枠３０１Ｐを、外側枠３０１Ｑの内側に前方の開口部から嵌め入れる。その際、内側枠３０１Ｐ側のガイド溝１０１Ｃが外側枠３０１Ｑ側のガイド突起１０１Ｃ’に係合するように、内側枠３０１Ｐを外側枠３０１Ｑの内側に嵌め入れる。このようにして外側枠３０１Ｑに嵌め入れられた内側枠３０１Ｐは、フランジ部３０１Ａと３０１Ｂにより外側枠３０１Ｑに支持されている。また、フランジ部３０１Ａとフランジ部３０１Ｂの間にはスペーサー３０２が配設されることになる。そうして、この後、同様の手順で、内側枠３０１Ｐと他のスペーサー３０２とを外側枠３０１Ｑ内に組み入れる。そして、用意したスペーサー３０２の中で最もＣＣＤ９の撮像面での結像状態が最良になるように第１群レンズ６を位置させることができたスペーサー３０２を組み込んだ状態で、筒飾り３０３を外側枠３０１Ｑに接着剤で固着して取り付けし組み立て作業を完了する。
【０１１７】
図４に第４の実施の形態を示す。
【０１１８】
第４の実施の形態は、第１保持手段となる内側枠４０１Ｐ側に取付けられるナット４０２と、第２保持手段となる外側枠４０１Ｑの側に回動自在に取付けられるねじ軸４０３とのねじ結合の作用により、ナット４０２を前後に移動させ、この移動に内側枠４０１Ｐを追従させて前後に変位させるものである。
【０１１９】
以下の説明において、第１の実施の形態と同様の構成部分については、同一符号を使用しその説明を省略する。
【０１２０】
図４に示される第１群レンズ保持枠４０１は、第１保持手段としての内側枠４０１Ｐと第２保持手段としての外側枠４０１Ｑとを有していて、内側枠４０１Ｐが外側枠４０１Ｑの枠内に嵌め入れられている。
【０１２１】
内側枠４０１Ｐには、その外面の全周に渡ってフランジ部４０１Ａ1が形成され、また、外側枠４０１Ｑにもその内面の全周に渡ってフランジ部４０１Ｂが形成されている。フランジ部４０１Ａ1とフランジ部４０１Ｂは、内側枠４０１Ｐを外側枠４０１Ｑの枠内に嵌め入れられたとき、内側枠４０１Ｐが、第１群レンズ６の光軸が光軸Ｘに一致する状態で、外側枠４０１Ｑによって支持されるように形成されている。
【０１２２】
さらに、フランジ部４０１Ａ1とフランジ部４０１Ｂは、内側枠４０１Ｐを外側枠４０１Ｑに嵌められたとき、フランジ部４０１Ａ1の外周縁面４０１Ａ1’の全面が外側枠４０１Ｑの内周面に沿って当接し、また、フランジ部４０１Ｂの内周縁面４０１Ｂ’の全面が内側枠４０１Ｐの外周面に沿って当接するように形成されている。さらに、フランジ部４０１Ａ1は内側枠４０１Ｐの前側寄りに形成され、フランジ部４０１Ｂは内側枠４０１Ｐの後側寄りに当接する位置に形成されている。したがって、内側枠４０１Ｐを外側枠４０１Ｑに対してがたを生ずること無く、しかも前後の２箇所で安定的に支持するようにしている点については、上述の第１の実施の形態と同様である。
【０１２３】
さらに、フランジ部４０１Ａ1とフランジ部４０１Ｂは、外周縁面４０１Ａ1’と内周縁面４０１Ｂ’が、それぞれ外側枠４０１Ｑの内周面と内側枠４０１Ｐの外周面とできるだけ少ない面積で当接するように、比較的薄肉に形成されている。つまり、外周縁面４０１Ａ1’と内周縁面４０１Ｂ’の面精度で、外側枠４０１Ｑの内周面と内側枠４０１Ｐの外周面に当接するようにすることで、外周縁面４０１Ａ1’と内周縁面４０１Ｂ’の面精度が、第１群レンズ６の光軸の光軸Ｘとのずれ量に与える影響を小さくするようにする点についても、上記の第１の実施の形態と同様である。なお、各当接面の幅と、レンズ６Ｌ１、６Ｌ３の内側枠４０１Ｐに対する当接面の幅との関係は、第１の実施の形態と同様となっている。
【０１２４】
フランジ部４０１Ａ1の後方には、ナット４０２が丁度挟まれて配設される間隔を開けて、フランジ部４０１Ａ2が形成されている。このフランジ部４０１Ａ2は、外側枠４０１Ｑの内周面に当接しないように形成されている。
【０１２５】
外側枠４０１Ｑのフランジ部４０１Ｂには、ねじ軸４０３とガイド手段としてのガイドポール４０４とが、光軸Ｘを挟んで互いに反対側の位置に、かつ光軸Ｘに平行に設けられている。
【０１２６】
ねじ軸４０３は、フランジ部４０１Ｂに対して円滑に回転できるようにフランジ部４０１Ｂを挿通していて、フランジ部４０１Ｂから抜け落ちないように、フランジ部４０１Ｂを挟むように２つの抜け止め用のワッシャ４０３’、４０３’が配置されている。ねじ軸４０３に取り付けられる抜け止め用のワッシャ部４０３’ 、４０３’は、ねじ軸４０３が、前後にがたつかず、かつ、スムーズに回転するのを妨げないように形成されている。
【０１２７】
ガイドポール４０４は、フランジ部４０１Ｂに固定的に植設されている。内側枠４０１Ｐのフランジ部４０１Ａ1とフランジ部４０１Ａ2には、ねじ軸４０３とガイドポール４０４がそれぞれ挿通する貫通孔４０１Ａ1Ｈと貫通孔４０１Ａ2Ｈが形成されている。
【０１２８】
内側枠４０１Ｐは、貫通孔４０１Ａ1Ｈと貫通孔４０１Ａ2Ｈに、ねじ軸４０３とガイドポール４０４がそれぞれ挿通された状態で、外側枠４０１Ｑ内に嵌め入れられる。ねじ軸４０３とガイドポール４０４は、外側枠４０１Ｑ内に嵌め入れられた内側枠４０１Ｐが、前後にスムーズに変位することができ、しかも、光軸Ｘの周りに内側枠４０１Ｐが回転することを防止するガイド手段としての機能を有する。
【０１２９】
また、ねじ軸４０３には、フランジ部４０１Ａ1とフランジ部４０１Ａ2の間に配設されるナット４０２がねじ結合している。このナット４０２は、ねじ軸４０３を回転させてもそれに釣られて回転してしまうことなく、また、前後方向にがたつくことのなくフランジ部４０１Ａ1とフランジ部４０１Ａ2の間に配設されている。具体的には、ナット４０２は正面から見た外形が四角形となっていて、ナット４０２の下側の側面が内側枠４０１Ｐに当接しているため、ナット４０２の回転が阻止される。また、ナット４０２の前後の面にはフランジ部４０１Ａ１とフランジ部４０２Ａ２が当接していて前後方向へのがたつきが阻止される。
【０１３０】
したがって、ねじ軸４０３を回転させると、ナット４０２とねじ軸４０３とのねじ結合による作用により、ナット４０２がねじ軸４０３に沿って前後に移動し、内側枠４０１Ｐはナット４０２の移動に追従して、前後に変位する。
【０１３１】
第１群レンズ６の位置調整に際しては、ＣＣＤ９の撮像面での結像の合焦状態が最適になるように、ねじ軸４０３を回転させて、内側枠４０１Ｐを前後に変位させて位置決めを行う。そして、位置が決まったところで、内側枠４０１Ｐを外側枠４０１Ｑに対して接着剤などにより固着して調整位置がずれないようにする。筒飾り４０６は、その後、外側枠４０１Ｑの前端部に接着剤で固着する。なお、ねじ軸４０３を金属製とすれば、ねじピッチを細かくすることができ、精度の良い位置合わせをすることができる。
【０１３２】
ここで、上述のように構成される第１群レンズ保持枠４０１の組み立てについて簡単に説明する。先ず、ねじ軸４０３とガイドポール４０４がそれぞれ貫通孔４０１Ａ２Ｈに挿通するようにして、内側枠４０１Ｐを外側枠４０１Ｑ内に前方の開口部から内側に嵌め入れる。ねじ軸４０３がナット４０２まで貫通孔４０１Ａ２Ｈに挿通されると、ねじ軸４０３がナット４０２に突き当りそれ以上挿通できない状態になる。このようになったら、ねじ軸４０３をナット４０２にねじ込まれる方向に回転し、ナット４０２を通り抜け、ねじ軸４０３とガイドポール４０４が貫通孔４０１Ａ１Ｈに挿通するまでねじ軸４０３を回転し続ける。そうして、次に、ＣＣＤ９の撮像面での合焦状態が最適になるように第１群レンズ６が位置するように、ねじ軸４０３を回転させて、内側枠４０１Ｐを前後に変位させる。ＣＣＤ９の撮像面での合焦状態が最適な位置に内側枠４０１Ｐが変位された状態で、内側枠４０１Ｐを外側枠４０１Ｑに対して接着剤などで固着する。そして最後に筒飾り４０６を外側枠４０１Ｑに固着して組み立て作業を完了する。
【０１３３】
ところで、第１保持枠としての内側枠４０１Ｐと、第２保持枠としての外側枠４０１Ｑと、ねじ軸４０３と、ナット４０２と、ガイド手段としてのガイドポール４０４とにより、調整用レンズ位置調整手段は構成されている。
【０１３４】
図５に第５の実施の形態を示す。
【０１３５】
図５に示される実施の形態は、上述した第４の実施の形態がねじ軸４０３をナット４０２に対して回転させて、内側枠４０１Ｐを変位させるのに対し、ねじ軸５０１を非回転としナット５０２をねじ軸５０１の周りに回転させることで、内側枠４０１Ｐを変位させるようにしたものである。
【０１３６】
なお、以下に説明する本実施の形態においては、上述の第４の実施の形態と同様の構成部分については、同一符号を用い、その説明を省略することとする。
【０１３７】
上述の第４の実施の形態が、ねじ軸４０３をフランジ部４０１Ｂに回転自在に設けていたのに対し、本実施の形態では、ねじ軸５０１は、フランジ部４０１Ｂに固定的に植設されている。
【０１３８】
ガイドポール４０４については、第４の実施の形態と同様に、フランジ部４０１Ｂに固定的に植設されている。なお、ねじ軸５０１とガイドポール４０４は、第４の実施の形態と同様に光軸Ｘを挟んで反対側でかつ光軸Ｘに平行に設けられている。
【０１３９】
ナット５０２は、フランジ部４０１Ａ1とフランジ部４０１Ａ2との間にねじ軸５０１にねじ結合された状態で配設され、ねじ軸５０１のねじ溝に沿って回転できるようになっている。ナット５０２は磁性体で形成されていて、磁力を作用させると回転するようになっている。つまり、ナット５０２に磁力を作用させて回転させると、ねじ軸５０１に沿って前後に移動し、これに追従して内側枠４０１Ｐも前後に変位されることになる。
【０１４０】
ナット５０２は、フランジ部４０１Ａ1とフランジ部４０１Ａ2との間に、ナット５０２自体はスムーズに回転するが、内側枠４０１Ｐが前後にがたつくことのないように挟持されている。
【０１４１】
本実施の形態においては、調整用コイル５０４を用い、この調整用コイル５０４に通電して磁化させ、ナット５０２に磁力を作用させることで、ナット５０２を回転させる。そして、このナット５０２を前後に移動させて、内側枠４０１Ｐをナット５０２の移動に追従させて前後に変位させて、ＣＣＤ９の撮像面での結像の合焦状態が最適になるように位置決めを行う。そうして、位置が決まったところで、内側枠４０１Ｐを外側枠４０１Ｑに対して接着剤などにより固着して調整位置がずれないようにする。なお、両フランジ４０１Ａ、４０１Ｂをそれぞれ全周に渡って設けるのではなく、３箇所、４箇所、５箇所、６箇所等、間隔を空けて複数箇所のみ設けるようにしてもよい。また、各当接面の幅と、レンズ６Ｌ１、６Ｌ３の内側枠４０１Ｐに対する当接面の幅との関係は、第１の実施の形態と同様となっている。
【０１４２】
ここで、上述のように構成される第１群レンズ保持枠４０１の組み立てについて簡単に説明する。先ず、ねじ軸５０１とガイドポール４０４がそれぞれ貫通孔４０１Ａ２Ｈに挿通するようにして、内側枠４０１Ｐを外側枠４０１Ｑ内に前方の開口部から内側に嵌め入れる。ねじ軸５０１がナット５０２まで貫通孔４０１Ａ２Ｈに挿通されると、ねじ軸５０１がナット５０２に突き当りそれ以上挿通できない状態になる。このようになったら、ナット５０２をねじ軸５０１にねじ込まれる方向に回転し、ねじ軸５０１がナット５０２を通り抜け、ねじ軸５０１とガイドポール４０４が貫通孔４０１Ａ１Ｈに挿通するまでナット５０２を回転し続ける。
【０１４３】
そうして、次に、ＣＣＤ９の撮像面での合焦状態が最適になるように第１群レンズ６が位置するように、ナット５０２を回転させて、内側枠４０１Ｐを前後に変位させる。ＣＣＤ９の撮像面での合焦状態が最適な位置に内側枠４０１Ｐが変位された状態で、内側枠４０１Ｐを外側枠４０１Ｑに対して接着剤などで固着する。そして最後に筒飾り４０６を外側枠４０１Ｑに固着して組み立て作業を完了する。なお、ナット５０２の回転は、調整用コイル５０４を治具として用い、調整用コイル５０４を通電して、ナット５０２に磁力を作用させることにより行う。
【０１４４】
図６に第６の実施の形態を示す。
【０１４５】
図６に示される第１群レンズ保持枠６０１は、第１保持枠となる内側枠６０１Ｐと、この内側枠６０１Ｐが嵌め入れられる第２保持枠となる外側枠６０１Ｑとを有して構成されている。
【０１４６】
内側枠６０１Ｐの前側寄りには、その外面の全周に渡ってフランジ部６０１Ａが形成され、外側枠６０１Ｑには、嵌め入れられた内側枠６０１Ｐの後側寄りに位置するとともに、その内面の全周に渡るフランジ部６０１Ｂが形成されている。内側枠６０１Ｐが、フランジ部６０１Ａとフランジ部６０１Ｂとにより、前後の２箇所で安定的に支持されている点、および、フランジ部６０１Ａの外周縁面６０１Ａ’の全面が外側枠６０１Ｑの内周面に当接し、また、フランジ部６０１Ｂの内周縁面６０１Ｂ’の全面が内側枠６０１Ｐの外周面に当接している点は、第１の実施の形態と同様である。したがって、内側枠６０１Ｐは、外側枠６０１Ｑによってがたを生ずること無くしかも安定的に支持されている。
【０１４７】
また、フランジ部６０１Ａとフランジ部６０１Ｂは、外周縁面６０１Ａ’と内周縁面６０１Ｂ’がそれぞれ、外側枠６０１Ｑの内周面と内側枠６０１Ｐの外周面と、できるだけ少ない面積で当接するように、比較的薄肉に形成されている点も、第１の実施の形態と同様である。したがって、外周縁面６０１Ａ’と内周縁面６０１Ｂ’の面精度が第１群レンズ６の光軸の光軸Ｘとのずれ量に与える影響を小さくすることができる。なお、各当接面の幅と、レンズ６Ｌ１、６Ｌ３の内側枠６０１Ｐに対する当接面の幅との関係は、第１の実施の形態と同様となっている。
【０１４８】
外側枠６０１Ｑの内周面には、光軸Ｘを挟んで上下の位置に、前後に延設されるラック状の一定ピッチの係合部６０２が形成されている。
【０１４９】
内側枠６０１Ｐには、外側枠６０１Ｑの内周面に対し光軸Ｘと直交する方向に附勢力を有し、係合部６０２に係合する弾性爪６０３が形成されている。
【０１５０】
本実施の形態では、弾性爪６０３の係合部６０２との前後方向の係合位置を調整して、ＣＣＤ９の撮像面での結像の合焦状態が良好となるように内側枠６０１Ｐの前後の位置決めを行う。
【０１５１】
内側枠６０１Ｐの外周面には、光軸Ｘを挟む左右に、光軸Ｘと平行な凹溝状のガイド溝６０１Ｃが形成され、また、外側６０１Ｑの内周面には、ガイド溝６０１Ｃに係合する凸片状のガイド突起６０１Ｃ’が形成されている。
【０１５２】
このガイド溝６０１Ｃとガイド突起６０１Ｃ’は、上述の第１の実施の形態でも説明したように、内側枠６０１Ｐが、外側枠６０１Ｑに対して、前後への変位を許容されながら、光軸Ｘの周りに回動するのを防止しているものである。
【０１５３】
本実施の形態においては、内側枠６０１Ｐを外側枠６０１Ｑに嵌め入れられるときには、ガイド溝６０１Ｃ’にガイド突起６０１Ｃ’を係合させ、ガイド突起６０１Ｃ’をガイド溝６０１Ｃ’に沿わせて、ＣＣＤ９の撮像面での結像状態が良好になるところまで、弾性爪６０３と係合部６０２の係合力に抗して内側枠６０１Ｐを外側枠６０１Ｑに嵌め入れる。そして、内側枠６０１Ｐがこのように挿嵌されると、内側枠６０１Ｐは、係合部６０２に対して附勢されている弾性爪６０３と係合部６０２との係合により位置決めされる。
【０１５４】
その後、筒飾り６０４を外側枠６０１Ｑに取付け、第１保持枠６０１の前方からの見掛けをよくする。
【０１５５】
本実施の形態によれば、弾性爪６０３が係合部６０２に係合することにより、内側枠６０１Ｐの位置決めができるので、簡易に位置調整を行うことができる。
【０１５６】
図７に第７の実施の形態を示す。
【０１５７】
図７（Ａ）に示される第１群レンズ保持枠７０１は、上述の各実施の形態で示したように内側枠と外側枠の２つの枠体から構成されているものと異なり、１つの枠体から構成されている。
【０１５８】
カムフォロア７０２は、第１群レンズ保持枠７０１に植設される植設ピン７０２Ａとカム溝に係合するフォロア部７０２Ｂとを備えて構成されている。このカムフォロア７０２の植設ピン７０２Ａとフォロア部７０２Ｂは互いに中心位置が異なるように形成されている。
【０１５９】
図７（Ａ）に示されるように、フォロア部７０２Ｂが植設ピン７０２Ａに対して前方にずれた状態で、植設ピン７０２Ａを第１群レンズ保持枠７０１に植設したときと、図７（Ｂ）に示されるように、フォロア部７０２Ｂが植設ピン７０２Ａに対して後方にずれた状態で、植設ピン７０２Ａを第１群レンズ保持枠７０１に植設したときとで、組み立て後の第１群レンズ６が光軸方向に異なる位置となる。
【０１６０】
つまり、図７（Ａ）のように、フォロア部７０２Ｂが植設ピン７０２Ａに対して前方にずれた状態で、植設ピン７０２Ａを第１群レンズ保持枠７０１に植設すると、第１群レンズ６が後方に変位する。逆に、図７（Ｂ）に示されるように、フォロア部７０２Ｂが植設ピン７０２Ａに対して後方にずれた状態で、植設ピン７０２Ａを第１群レンズ保持枠７０１に植設すると、第１群レンズ６が前方に変位する。
【０１６１】
すなわち、フォロア部７０２Ｂを植設ピン７０２Ａに対して前方にずれるようにカムフォロア７０２を第１群レンズ保持枠７０１に植設すれば、第１群レンズ保持枠７０１は後方に変位し、逆に、フォロア部７０２Ｂを植設ピン７０２Ａに対して後方にずれるようにカムフォロア７０２を第１群レンズ保持枠７０１に植設すれば、第１群レンズ保持枠７０１は前方に変位する。
【０１６２】
そして、フォロア部７０２Ｂを植設ピン７０２Ａに対して前側に偏芯させたときと、後側に偏芯させたときとで、ＣＣＤ９の撮像面での結像状態の良い方の向きで、カムフォロア７０２を第１群レンズ保持枠７０１に植設する。
【０１６３】
なお、上述の各実施の形態は、本発明の好適な実施の形態の例であるが、本発明の要旨を逸脱しない範囲で種々の変更実施が可能である。たとえば、撮像媒体としては、撮像素子ＣＣＤ（電荷結合素子）が好ましいが、従来の光学フィルムを採用しても良い。また、本発明のズームレンズ鏡筒は、ズーム機能を有するカメラ装置に適用するのが最も好ましいが、双眼鏡など他の光学装置に適用しても良い。
【０１６４】
【発明の効果】
本発明のズームレンズ鏡筒及びカメラ装置によれば、調整用レンズが変位する前後で、調整用レンズの光軸が回転しないように調整用レンズを変位させることができるので、調整用レンズを変位させても、調整用レンズの光軸が他のレンズの光軸からずれてしまうことがなくなる。
【図面の簡単な説明】
【図１】本発明に係るズームレンズ鏡筒の第１の実施の形態を示す図で、（Ａ）は要部側面断面図で、（Ｂ）は筒飾りを外した状態の正面図である。
【図２】本発明に係るズームレンズ鏡筒の第２の実施の形態を示す図で、（Ａ）は要部側面断面図で、（Ｂ）は筒飾りを外した状態の正面図である。
【図３】本発明に係るズームレンズ鏡筒の第３の実施の形態を示す図で、（Ａ）は要部側面断面図で、（Ｂ）は筒飾りを外した状態の正面図である。
【図４】本発明に係るズームレンズ鏡筒の第４の実施の形態を示す図で、（Ａ）は要部側面断面図で、（Ｂ）は筒飾りを外した状態の正面図である。
【図５】本発明に係るズームレンズ鏡筒の第５の実施の形態を示す図で、（Ａ）は要部側面断面図で、（Ｂ）は筒飾りを外し、調整用コイルを付加した状態の正面図である。
【図６】本発明に係るズームレンズ鏡筒の第６の実施の形態を示す図で、（Ａ）は要部側面断面図で、（Ｂ）は筒飾りを外した状態の正面図である。
【図７】本発明に係るズームレンズ鏡筒の第７の実施の形態を示す図で、（Ａ）は要部側面断面図とカムフォロアー部分の平面図で、（Ｂ）はカムフォロアー部分の他の例の断面図と平面図で、（Ｃ）は筒飾りを外した状態の正面図である。
【図８】従来のズームレンズ鏡筒を示す側面断面図である。
【符号の説明】
５  撮影レンズ
６  第１群レンズ（調整用レンズ）
７  第２群レンズ
８  第３群レンズ
１０１Ｐ  内側枠（第１保持手段）
１０１Ｑ  外側枠（第２保持手段）
１０２  スプリング（変位手段）
１０３  筒飾り（位置決め手段）
１０１Ｃ  ガイド溝
１０１Ｃ’  ガイド突起
【図１】
0004137449.tif 000002
【図２】
0004137449.tif 000003
【図３】
0004137449.tif 000004
【図４】
0004137449.tif 000005
【図５】
0004137449.tif 000006
【図６】
0004137449.tif 000007
【図７】
0004137449.tif 000008
【図８】
0004137449.tif 000009